(57)【要約】【課題】  ユーザがリモコンキーを介して認識したい文字のサイズ変更をしたり、あるいは認識したい文字を音声データヘ変換したりできるようにする。【解決手段】  オブジェクト化された構造化データから文字情報を抽出する文字情報抽出手段と、リモコンナビゲーション属性及びフォーカス・スタイルシートを付加する付加手段と、リモコンを用いて任意にユーザに選択された文字情報のサイズを拡大したり、音声情報へ変換したりする文字情報変換手段とを設け、ユーザがリモコンを用いて読みづらい文字情報を任意に選択することができるようにして、ユーザの番組視聴を助けて、ユーザがデジタルデータ放送を視聴する際に、その利便性を向上できるようにする。【選択図】  図５
2005176097.tif 000002
【特許請求の範囲】
【請求項１】
オブジェクト化された構造化データから文字情報を抽出する文字情報抽出工程と、
リモコンナビゲーション属性及びフォーカス・スタイルシートを付加する付加工程と、
リモコンを用いて任意にユーザに選択された文字情報のサイズを拡大したり、音声情報へ変換したりする文字情報変換工程とを有することを特徴とする放送データブラウズ方法。
【請求項２】
放送データ中の構造化データ及びスタイルシートをオブジェクトデータとしてデータ蓄積部に展開させるデータ展開工程と、
上記データ蓄積部にアクセスし、上記構造化データから文字情報を抽出する文字情報抽出工程と、
上記文字情報抽出工程において抽出した各文字のタグに付随するＩＤ属性の有無の確認、及びＩＤ属性の付加を行なうＩＤ属性付加工程と、
上記文字情報抽出工程において抽出した文字毎に番号を割り当てる番号割当工程と、
上記文字と共に割り当てた番号を表示させる為に、上記データ蓄積部に展開したオブジェクトデータを書き換えるオブジェクトデータ書き換え工程と、
上記各文字の選択状態及びリモコンで決定された状態のスタイルシートのオブジェクトデータを、上記文字情報抽出工程において抽出した文字毎に作成するオブジェクトデータ作成工程と、
上記オブジェクトデータ書き換え工程にて書き換えたオブジェクトデータを用いて文字と共に番号を提示する番号提示工程と、
上記リモコンの番号キーに応じて、上記ＩＤ属性と上記番号割当工程で割り当てた番号とを参照し、文字情報間のフォーカス移動を行なうフォーカス移動工程と、
上記スタイルシートを用いて、フォーカスされている文字及び決定キーが押された状態の文字のスタイルを変化させるスタイル変化工程と、
上記選択・決定された文字を、文字サイズの変更、または文字の音声データヘの変換を行なう手段に渡す文字データ送出工程とを有することを特徴とする放送データブラウズ方法。
【請求項３】
受信した放送データ内の構造化データ及びスタイルシートの文書構造を解析する文書構造解析工程と、
上記文書構造解析工程の解析結果を随時イベント形式で受け取り、構造化データ及びスタイルシートのオブジェクトデータをデータ蓄積部に展開するデータ展開工程と、
上記文書構造解析工程の解析結果が文字情報に関するものであれば、ＩＤ属性の有無の確認、及びＩＤ属性の付加を行なうＩＤ属性付加工程と、
上記文字情報抽出工程において抽出した文字毎に番号を割り当てる番号割当工程と、
上記文字と共に割り当てた番号を表示させる為に、上記データ蓄積部に展開したオブジェクトデータを書き換えるオブジェクトデータ書き換え工程と、
上記各文字の選択状態及びリモコンで決定された状態のスタイルシートのオブジェクトデータを、上記文字情報抽出工程において抽出した文字毎に作成するオブジェクトデータ作成工程と、
上記オブジェクトデータ書き換え工程にて書き換えたオブジェクトデータを用いて文字と共に番号を提示する番号提示工程と、
上記リモコンの番号キーに応じて、上記ＩＤ属性と上記番号割当工程で割り当てた番号とを参照し、文字情報間のフォーカス移動を行なうフォーカス移動工程と、
上記スタイルシートを用いて、フォーカスされている文字及び決定キーが押された状態の文字のスタイルを変化させるスタイル変化工程と、
上記選択・決定された文字を、文字サイズの変更、または文字の音声データヘの変換を行なう手段に渡す文字データ送出工程とを有することを特徴とする放送データブラウズ方法。
【請求項４】
上記放送データ中に文字付画像があり、そのタグ情報内に文字情報が属性として記述されている場合には、上記各の工程において文字に対して行なった処理を、上記文字付画像に対しても同様に行なう文字付画像加工工程と、
上記文字付画像がリモコンを介して選択・決定された場合、そのタグ情報内に属性としてある文字情報を、文字サイズの変更、または文字の音声データヘの変換を行なう手段に渡す文字データ送出工程とを有することを特徴とする請求項２に記載の放送データブラウズ方法。
【請求項５】
上記放送データ中に文字付画像があり、そのタグ情報内に文字情報が属性として記述されており、上記文書構造解析工程の解析結果が、文字付画像に関するものであれば、ＩＤ属性の有無の確認、及びＩＤ属性の付加を行なうＩＤ属性付加工程と、
上記各工程において文字に対して行った処理を、上記文字付画像に対しても同様に行なう文字付画像加工工程と、
上記文字付画像がリモコンを介して選択・決定された場合、そのタグ情報内に属性としてある文字情報を、文字サイズの変更、または文字の音声データヘの変換を行なう手段に渡す文字データ送出工程とを有することを特徴とする請求項３に記載の放送データブラウズ方法。
【請求項６】
上記放送データの構造化データの記述方法が、ＸＭＬ（extensible markup language）に従い、上記データ蓄積部に展開されるオブジェクトデータがＤＯＭ（document object model）ＡＰＩ（application programming interface）を実装していることを特徴とする請求項２または３に記載の放送データブラウズ方法。
【請求項７】
上記文字情報抽出工程にて抽出した文字毎に、リモコンナビゲーションを作成していくリモコンナビゲーション属性作成工程を有することを特徴とする請求項２または３に記載の放送データブラウズ方法。
【請求項８】
上記フォーカスされている文字及び決定キーが押された状態の文字のスタイルを変化させるスタイル変化を、複数の文字に対して同時に行なうスタイル変化工程を有することを特徴とする請求項２または３に記載の放送データブラウズ方法。
【請求項９】
オブジェクト化された構造化データから文字情報を抽出する文字情報抽出手段と、
リモコンナビゲーション属性及びフォーカス・スタイルシートを付加する付加手段と、
リモコンを用いて任意にユーザに選択された文字情報のサイズを拡大したり、音声情報へ変換したりする文字情報変換手段とを有することを特徴とする放送データブラウズ装置。
【請求項１０】
放送データ中の構造化データ及びスタイルシートをオブジェクトデータとしてデータ蓄積部に展開させるデータ展開手段と、
上記データ蓄積部にアクセスし、上記構造化データから文字情報を抽出する文字情報抽出手段と、
上記文字情報抽出手段において抽出した各文字のタグに付随するＩＤ属性の有無の確認、及びＩＤ属性の付加を行なうＩＤ属性付加手段と、
上記文字情報抽出手段において抽出した文字毎に番号を割り当てる番号割当手段と、
上記文字と共に割り当てた番号を表示させる為に、上記データ蓄積部に展開したオブジェクトデータを書き換えるオブジェクトデータ書き換え手段と、
上記各文字の選択状態及びリモコンで決定された状態のスタイルシートのオブジェクトデータを、上記文字情報抽出手段において抽出した文字毎に作成するオブジェクトデータ作成手段と、
上記オブジェクトデータ書き換え手段にて書き換えたオブジェクトデータを用いて文字と共に番号を提示する番号提示手段と、
上記リモコンの番号キーに応じて、上記ＩＤ属性と上記番号割当手段で割り当てた番号とを参照し、文字情報間のフォーカス移動を行なうフォーカス移動手段と、
上記スタイルシートを用いて、フォーカスされている文字及び決定キーが押された状態の文字のスタイルを変化させるスタイル変化手段と、
上記選択・決定された文字を、文字サイズの変更、または文字の音声データヘの変換を行なう手段に渡す文字データ送出手段とを有することを特徴とする放送データブラウズ装置。
【請求項１１】
受信した放送データ内の構造化データ及びスタイルシートの文書構造を解析する文書構造解析手段と、
上記文書構造解析手段の解析結果を随時イベント形式で受け取り、構造化データ及びスタイルシートのオブジェクトデータをデータ蓄積部に展開するデータ展開手段と、
上記文書構造解析手段の解析結果が文字情報に関するものであれば、ＩＤ属性の有無の確認、及びＩＤ属性の付加を行なうＩＤ属性付加手段と、
上記文字情報抽出手段において抽出した文字毎に番号を割り当てる番号割当手段と、
上記文字と共に割り当てた番号を表示させる為に、上記データ蓄積部に展開したオブジェクトデータを書き換えるオブジェクトデータ書き換え手段と、
上記各文字の選択状態及びリモコンで決定された状態のスタイルシートのオブジェクトデータを、上記文字情報抽出手段において抽出した文字毎に作成するオブジェクトデータ作成手段と、
上記オブジェクトデータ書き換え手段にて書き換えたオブジェクトデータを用いて文字と共に番号を提示する番号提示手段と、
上記リモコンの番号キーに応じて、上記ＩＤ属性と上記番号割当手段で割り当てた番号とを参照し、文字情報間のフォーカス移動を行なうフォーカス移動手段と、
上記スタイルシートを用いて、フォーカスされている文字及び決定キーが押された状態の文字のスタイルを変化させるスタイル変化手段と、
上記選択・決定された文字を、文字サイズの変更、または文字の音声データヘの変換を行なう手段に渡す文字データ送出手段とを有することを特徴とする放送データブラウズ装置。
【請求項１２】
放送データ中の構造化データ及びスタイルシートをオブジェクトデータとしてデータ蓄積部に展開させるデータ展開工程と、
上記データ蓄積部にアクセスし、上記構造化データから文字情報を抽出する文字情報抽出工程と、
上記文字情報抽出工程において抽出した各文字のタグに付随するＩＤ属性の有無の確認、及びＩＤ属性の付加を行なうＩＤ属性付加工程と、
上記文字情報抽出工程において抽出した文字毎に番号を割り当てる番号割当工程と、
上記文字と共に割り当てた番号を表示させる為に、上記データ蓄積部に展開したオブジェクトデータを書き換えるオブジェクトデータ書き換え工程と、
上記各文字の選択状態及びリモコンで決定された状態のスタイルシートのオブジェクトデータを、上記文字情報抽出工程において抽出した文字毎に作成するオブジェクトデータ作成工程と、
上記オブジェクトデータ書き換え工程にて書き換えたオブジェクトデータを用いて文字と共に番号を提示する番号提示工程と、
上記リモコンの番号キーに応じて、上記ＩＤ属性と上記番号割当工程で割り当てた番号とを参照し、文字情報間のフォーカス移動を行なうフォーカス移動工程と、
上記スタイルシートを用いて、フォーカスされている文字及び決定キーが押された状態の文字のスタイルを変化させるスタイル変化工程と、
上記選択・決定された文字を、文字サイズの変更、または文字の音声データヘの変換を行なう手段に渡す文字データ送出工程とをコンピュータに実行させることを特徴とするコンピュータプログラム。
【請求項１３】
受信した放送データ内の構造化データ及びスタイルシートの文書構造を解析する文書構造解析工程と、
上記文書構造解析工程の解析結果を随時イベント形式で受け取り、構造化データ及びスタイルシートのオブジェクトデータをデータ蓄積部に展開するデータ展開工程と、
上記文書構造解析工程の解析結果が文字情報に関するものであれば、ＩＤ属性の有無の確認、及びＩＤ属性の付加を行なうＩＤ属性付加工程と、
上記文字情報抽出工程において抽出した文字毎に番号を割り当てる番号割当工程と、
上記文字と共に割り当てた番号を表示させる為に、上記データ蓄積部に展開したオブジェクトデータを書き換えるオブジェクトデータ書き換え工程と、
上記各文字の選択状態及びリモコンで決定された状態のスタイルシートのオブジェクトデータを、上記文字情報抽出工程において抽出した文字毎に作成するオブジェクトデータ作成工程と、
オブジェクトデータ書き換え工程にて書き換えたオブジェクトデータを用いて文字と共に番号を提示する番号提示工程と、
上記リモコンの番号キーに応じて、上記ＩＤ属性と上記番号割当工程で割り当てた番号とを参照し、文字情報間のフォーカス移動を行なうフォーカス移動工程と、
上記スタイルシートを用いて、フォーカスされている文字及び決定キーが押された状態の文字のスタイルを変化させるスタイル変化工程と、
上記選択・決定された文字を、文字サイズの変更、または文字の音声データヘの変換を行なう手段に渡す文字データ送出工程とをコンピュータに実行させることを特徴とするコンピュータプログラム。
【請求項１４】
上記請求項１２または１３に記載のコンピュータプログラムを記録したことを特徴とするコンピュータ読み取り可能な記録媒体。
【発明の詳細な説明】
【技術分野】
【０００１】
本発明は放送データブラウズ方法、放送データブラウズ装置、コンピュータプログラム及びコンピュータ読み取り可能な記録媒体に関し、特に、デジタルデータ放送対応の受信装置内に組み込まれたブラウザの機能に関するものである。
【背景技術】
【０００２】
デジタルデータ放送対応の受信装置によって受信された文字情報は、ＣＲＴや液晶などの表示装置を介してユーザに提示される。その際に、表示の一意性を確保するために、文字のサイズやフォント等は、放送局側から送られてきた情報によって決定される。
【０００３】
例えば、特許文献１にて示されているように、データ放送中の文字情報はブラウザを介してユーザに提示される。ユーザが任意の文字情報にある処理を加えたい場合、ブラウザ独自の機能により、リモコンを介してその文字情報のみを選択することを可能にする。
【０００４】
【特許文献１】特開２０００―０８２９７１号公報
【発明の開示】
【発明が解決しようとする課題】
【０００５】
上述したように、デジタルデータ放送番組の表示画面は、どの表示装置で視聴しても同一になる。そのため、データ放送で使用される文字は、文字サイズや表示装置の画面サイズ、解像度等によっては、ユーザが認識することが困難な場合がある。
【０００６】
また、弱視の視聴者の場合には、画面上に表示されている文字を眼で認識することが困難な場合があった。
本発明は上述の問題点にかんがみ、ユーザがリモコンキーを介して認識したい文字のサイズ変更をしたり、あるいは認識したい文字を音声データヘ変換したりできるようにすることを目的とする。
【課題を解決するための手段】
【０００７】
本発明の放送データブラウズ方法は、オブジェクト化された構造化データから文字情報を抽出する文字情報抽出工程と、リモコンナビゲーション属性及びフォーカス・スタイルシートを付加する付加工程と、リモコンを用いて任意にユーザに選択された文字情報のサイズを拡大したり、音声情報へ変換したりする文字情報変換工程とを有することを特徴としている。
また、本発明の他の特徴とするところは、放送データ中の構造化データ及びスタイルシートをオブジェクトデータとしてデータ蓄積部に展開させるデータ展開工程と、上記データ蓄積部にアクセスし、上記構造化データから文字情報を抽出する文字情報抽出工程と、上記文字情報抽出工程において抽出した各文字のタグに付随するＩＤ属性の有無の確認、及びＩＤ属性の付加を行なうＩＤ属性付加工程と、上記文字情報抽出工程において抽出した文字毎に番号を割り当てる番号割当工程と、上記文字と共に割り当てた番号を表示させる為に、上記データ蓄積部に展開したオブジェクトデータを書き換えるオブジェクトデータ書き換え工程と、上記各文字の選択状態及びリモコンで決定された状態のスタイルシートのオブジェクトデータを、上記文字情報抽出工程において抽出した文字毎に作成するオブジェクトデータ作成工程と、上記オブジェクトデータ書き換え工程にて書き換えたオブジェクトデータを用いて文字と共に番号を提示する番号提示工程と、上記リモコンの番号キーに応じて、上記ＩＤ属性と上記番号割当工程で割り当てた番号とを参照し、文字情報間のフォーカス移動を行なうフォーカス移動工程と、上記スタイルシートを用いて、フォーカスされている文字及び決定キーが押された状態の文字のスタイルを変化させるスタイル変化工程と、上記選択・決定された文字を、文字サイズの変更、または文字の音声データヘの変換を行なう手段に渡す文字データ送出工程とを有することを特徴としている。
また、本発明のその他の特徴とするところは、受信した放送データ内の構造化データ及びスタイルシートの文書構造を解析する文書構造解析工程と、上記文書構造解析工程の解析結果を随時イベント形式で受け取り、構造化データ及びスタイルシートのオブジェクトデータをデータ蓄積部に展開するデータ展開工程と、上記文書構造解析工程の解析結果が文字情報に関するものであれば、ＩＤ属性の有無の確認、及びＩＤ属性の付加を行なうＩＤ属性付加工程と、上記文字情報抽出工程において抽出した文字毎に番号を割り当てる番号割当工程と、上記文字と共に割り当てた番号を表示させる為に、上記データ蓄積部に展開したオブジェクトデータを書き換えるオブジェクトデータ書き換え工程と、上記各文字の選択状態及びリモコンで決定された状態のスタイルシートのオブジェクトデータを、上記文字情報抽出工程において抽出した文字毎に作成するオブジェクトデータ作成工程と、上記オブジェクトデータ書き換え工程にて書き換えたオブジェクトデータを用いて文字と共に番号を提示する番号提示工程と、上記リモコンの番号キーに応じて、上記ＩＤ属性と上記番号割当工程で割り当てた番号とを参照し、文字情報間のフォーカス移動を行なうフォーカス移動工程と、上記スタイルシートを用いて、フォーカスされている文字及び決定キーが押された状態の文字のスタイルを変化させるスタイル変化工程と、上記選択・決定された文字を、文字サイズの変更、または文字の音声データヘの変換を行なう手段に渡す文字データ送出工程とを有することを特徴としている。
また、本発明のその他の特徴とするところは、上記放送データ中に文字付画像があり、そのタグ情報内に文字情報が属性として記述されている場合には、上記各の工程において文字に対して行なった処理を、上記文字付画像に対しても同様に行なう文字付画像加工工程と、上記文字付画像がリモコンを介して選択・決定された場合、そのタグ情報内に属性としてある文字情報を、文字サイズの変更、または文字の音声データヘの変換を行なう手段に渡す文字データ送出工程とを有することを特徴としている。
また、本発明のその他の特徴とするところは、上記放送データ中に文字付画像があり、そのタグ情報内に文字情報が属性として記述されており、上記文書構造解析工程の解析結果が、文字付画像に関するものであれば、ＩＤ属性の有無の確認、及びＩＤ属性の付加を行なうＩＤ属性付加工程と、上記各工程において文字に対して行った処理を、上記文字付画像に対しても同様に行なう文字付画像加工工程と、上記文字付画像がリモコンを介して選択・決定された場合、そのタグ情報内に属性としてある文字情報を、文字サイズの変更、または文字の音声データヘの変換を行なう手段に渡す文字データ送出工程とを有することを特徴としている。
また、本発明のその他の特徴とするところは、上記放送データの構造化データの記述方法が、ＸＭＬ（extensible markup language）に従い、上記データ蓄積部に展開されるオブジェクトデータがＤＯＭ（document object model）ＡＰＩ（application programming interface）を実装していることを特徴としている。
また、本発明のその他の特徴とするところは、上記文字情報抽出工程にて抽出した文字毎に、リモコンナビゲーションを作成していくリモコンナビゲーション属性作成工程を有することを特徴としている。
また、本発明のその他の特徴とするところは、上記フォーカスされている文字及び決定キーが押された状態の文字のスタイルを変化させるスタイル変化を、複数の文字に対して同時に行なうスタイル変化工程を有することを特徴としている。
【０００８】
本発明の放送データブラウズ装置は、オブジェクト化された構造化データから文字情報を抽出する文字情報抽出手段と、リモコンナビゲーション属性及びフォーカス・スタイルシートを付加する付加手段と、リモコンを用いて任意にユーザに選択された文字情報のサイズを拡大したり、音声情報へ変換したりする文字情報変換手段とを有することを特徴としている。
また、本発明の他の特徴とするところは、放送データ中の構造化データ及びスタイルシートをオブジェクトデータとしてデータ蓄積部に展開させるデータ展開手段と、上記データ蓄積部にアクセスし、上記構造化データから文字情報を抽出する文字情報抽出手段と、上記文字情報抽出手段において抽出した各文字のタグに付随するＩＤ属性の有無の確認、及びＩＤ属性の付加を行なうＩＤ属性付加手段と、上記文字情報抽出手段において抽出した文字毎に番号を割り当てる番号割当手段と、上記文字と共に割り当てた番号を表示させる為に、上記データ蓄積部に展開したオブジェクトデータを書き換えるオブジェクトデータ書き換え手段と、上記各文字の選択状態及びリモコンで決定された状態のスタイルシートのオブジェクトデータを、上記文字情報抽出手段において抽出した文字毎に作成するオブジェクトデータ作成手段と、上記オブジェクトデータ書き換え手段にて書き換えたオブジェクトデータを用いて文字と共に番号を提示する番号提示手段と、上記リモコンの番号キーに応じて、上記ＩＤ属性と上記番号割当手段で割り当てた番号とを参照し、文字情報間のフォーカス移動を行なうフォーカス移動手段と、上記スタイルシートを用いて、フォーカスされている文字及び決定キーが押された状態の文字のスタイルを変化させるスタイル変化手段と、上記選択・決定された文字を、文字サイズの変更、または文字の音声データヘの変換を行なう手段に渡す文字データ送出手段とを有することを特徴としている。
また、本発明の他の特徴とするところは、受信した放送データ内の構造化データ及びスタイルシートの文書構造を解析する文書構造解析手段と、上記文書構造解析手段の解析結果を随時イベント形式で受け取り、構造化データ及びスタイルシートのオブジェクトデータをデータ蓄積部に展開するデータ展開手段と、上記文書構造解析手段の解析結果が文字情報に関するものであれば、ＩＤ属性の有無の確認、及びＩＤ属性の付加を行なうＩＤ属性付加手段と、上記文字情報抽出手段において抽出した文字毎に番号を割り当てる番号割当手段と、上記文字と共に割り当てた番号を表示させる為に、上記データ蓄積部に展開したオブジェクトデータを書き換えるオブジェクトデータ書き換え手段と、上記各文字の選択状態及びリモコンで決定された状態のスタイルシートのオブジェクトデータを、上記文字情報抽出手段において抽出した文字毎に作成するオブジェクトデータ作成手段と、上記オブジェクトデータ書き換え手段にて書き換えたオブジェクトデータを用いて文字と共に番号を提示する番号提示手段と、上記リモコンの番号キーに応じて、上記ＩＤ属性と上記番号割当手段で割り当てた番号とを参照し、文字情報間のフォーカス移動を行なうフォーカス移動手段と、上記スタイルシートを用いて、フォーカスされている文字及び決定キーが押された状態の文字のスタイルを変化させるスタイル変化手段と、上記選択・決定された文字を、文字サイズの変更、または文字の音声データヘの変換を行なう手段に渡す文字データ送出手段とを有することを特徴としている。
【０００９】
本発明のコンピュータプログラムは、放送データ中の構造化データ及びスタイルシートをオブジェクトデータとしてデータ蓄積部に展開させるデータ展開工程と、上記データ蓄積部にアクセスし、上記構造化データから文字情報を抽出する文字情報抽出工程と、上記文字情報抽出工程において抽出した各文字のタグに付随するＩＤ属性の有無の確認、及びＩＤ属性の付加を行なうＩＤ属性付加工程と、上記文字情報抽出工程において抽出した文字毎に番号を割り当てる番号割当工程と、上記文字と共に割り当てた番号を表示させる為に、上記データ蓄積部に展開したオブジェクトデータを書き換えるオブジェクトデータ書き換え工程と、上記各文字の選択状態及びリモコンで決定された状態のスタイルシートのオブジェクトデータを、上記文字情報抽出工程において抽出した文字毎に作成するオブジェクトデータ作成工程と、上記オブジェクトデータ書き換え工程にて書き換えたオブジェクトデータを用いて文字と共に番号を提示する番号提示工程と、上記リモコンの番号キーに応じて、上記ＩＤ属性と上記番号割当工程で割り当てた番号とを参照し、文字情報間のフォーカス移動を行なうフォーカス移動工程と、上記スタイルシートを用いて、フォーカスされている文字及び決定キーが押された状態の文字のスタイルを変化させるスタイル変化工程と、上記選択・決定された文字を、文字サイズの変更、または文字の音声データヘの変換を行なう手段に渡す文字データ送出工程とをコンピュータに実行させることを特徴としている。
また、本発明の他の特徴とするところは、受信した放送データ内の構造化データ及びスタイルシートの文書構造を解析する文書構造解析工程と、上記文書構造解析工程の解析結果を随時イベント形式で受け取り、構造化データ及びスタイルシートのオブジェクトデータをデータ蓄積部に展開するデータ展開工程と、上記文書構造解析工程の解析結果が文字情報に関するものであれば、ＩＤ属性の有無の確認、及びＩＤ属性の付加を行なうＩＤ属性付加工程と、上記文字情報抽出工程において抽出した文字毎に番号を割り当てる番号割当工程と、上記文字と共に割り当てた番号を表示させる為に、上記データ蓄積部に展開したオブジェクトデータを書き換えるオブジェクトデータ書き換え工程と、上記各文字の選択状態及びリモコンで決定された状態のスタイルシートのオブジェクトデータを、上記文字情報抽出工程において抽出した文字毎に作成するオブジェクトデータ作成工程と、オブジェクトデータ書き換え工程にて書き換えたオブジェクトデータを用いて文字と共に番号を提示する番号提示工程と、上記リモコンの番号キーに応じて、上記ＩＤ属性と上記番号割当工程で割り当てた番号とを参照し、文字情報間のフォーカス移動を行なうフォーカス移動工程と、上記スタイルシートを用いて、フォーカスされている文字及び決定キーが押された状態の文字のスタイルを変化させるスタイル変化工程と、上記選択・決定された文字を、文字サイズの変更、または文字の音声データヘの変換を行なう手段に渡す文字データ送出工程とをコンピュータに実行させることを特徴としている。
【００１０】
本発明の記録媒体は、上記に記載のコンピュータプログラムを記録したことを特徴としている。
【発明の効果】
【００１１】
本発明においては、オブジェクト化された構造化データから文字情報を抽出するとともに、リモコンナビゲーション属性やフォーカス・スタイルシートを付加することをブラウザにて行なうようにしたので、デジタルデータ放送ではブラウザに表示される文字情報のサイズやフォントは一意的に決定されてしまっていた各々の文字情報を、ユーザがリモコンを用いて任意に選択して変更することが可能となる。これにより、読みづらい文字情報を拡大表示したり、音声情報へ変換したりすることを実現することが可能となり、ユーザの番組視聴を助けることができ、ユーザがデジタルデータ放送を視聴する際に、その利便性の向上を図ることができる。
【発明を実施するための最良の形態】
【００１２】
（第１の実施の形態）
以下、図面を参照しながら本発明の放送データブラウズ方法、放送データブラウズ装置、コンピュータプログラム及び記録媒体の第１の実施の形態を説明する。
本実施の形態の放送データブラウズ装置は、ユーザが図１に示されるリモコン１００を用いて、同じく図５に示されるブラウザ１０１を操作する状況を想定している。ブラウザ１０１は、リモコン１００や放送局から送信されるイベントに応じて動作するイベント駆動型ブラウザである。
このブラウザ１０１は、放送データ１０６として送信されてくる情報に基づき画面構成を行なう。
【００１３】
データ放送番組は、連動型と独立型の２種類に大きく分かれるが、ブラウザ１０１はその両方での使用が考えられる。リモコン１００は少なくともブラウザ中の文字情報を選択するモードに入るためのキー（文字情報選択モードキー）と、ある処理を行ないたい文字情報を選択するキー（番号キー）と、文字情報を決定するためのキー（決定キー）を備えている。図５では、文字情報選択モードキーと０〜９までの番号キーを持つリモコン１００として表現してある。
【００１４】
放送データ１０６内には構造化データ１０２、スタイルシート１０３の他に、動画像・静止画像１０４等のモノメディアデータが含まれる。構造化データ１０２とスタイルシート１０３は一つのデータとして存在することもあるが、以下の説明では、スタイルシート１０３が構造化データ１０２内に存在する場合も、独立したスタイルシート１０３として説明を行なう。
【００１５】
構造化データ１０２にはデータ放送番組の構成が記されており、その記述方法はＸＭＬ（Extensible Markup Language）の文法に従う。テキストデータ（文字情報）１０５は構造化データ１０２内に存在し、ある単位（項目、記事など）毎にタグ情報が付随している。
【００１６】
図２は、ブラウザ１０１に表示されている内容を、ＸＭＬを用いて記述した構造化データの一例を示す図である。ここでは、ニュース項目毎にテキストデータにタグ情報が付随している。また、各タグにはＩＤ属性が設定されている。スタイルシート１０３には動画像・静止画像データ１０４やテキストデータ１０５のレイアウト情報の他、リモコン１００の操作情報が記述されている。
【００１７】
以下に、上記の状況をふまえて、本実施の形態によって実現できるリモコン操作によるブラウザ中のテキスト（文字情報）の選択機能について述べる。ユーザがリモコン１００の文字情報選択モードキーを押すと、ブラウザ１０１のテキストの一部がフォーカス（選択）され、ブラウザは文字情報選択モードに入る。
【００１８】
各テキストには番号が付随される（図３参照）。この状態でリモコン１００の番号キーを押すことでテキスト間のフォーカスの移動が可能となる。フォーカスはタグが付随する全てのテキスト上を移動できる。
【００１９】
図３に、フォーカスの移動例を示した。ここでは、ユーザがリモコン１００の番号２のキーを押すことで、番号５のテキストにあるフォーカスを番号２のテキストに移している例を示した。その後、文字情報選択モードの状態でリモコン１００の決定キーを押すと、フォーカスがあたっている部分のテキスト情報がポップアップ画面に拡大（縮小）された形でユーザに提示される。
【００２０】
図４に、テキスト情報の拡大表示例を示した。この場合、フォーカスがあたっているテキスト自体を直接拡大するのではなく、ポップアップ型のウィンドウがブラウザとは別に現れ、そこでフォーカス部分が拡大表示されるようにしている。これにより、ブラウザ自体の見栄えを変化させることはない。また同時に、テキスト情報を拡大表示だけでなく、音声情報に変換してユーザに提示することも考えられる。上記文字情報選択機能の実現方法を以下で述べる。
【００２１】
図５に、ブラウザ１０１内の機能モジュールの一例を示す。図５において、矢印は各機能モジュール間の処理の流れを示している。１０７は受信した放送データ１０６のデコードを行なうデコード部である。デコード部１０７でデコードされた放送データ１０６は蓄積部１０８内に展開される。このうち、構造化データ１０２はタグ情報等を基にＤＯＭ（Document Object Model）オブジエクトとして、またスタイルシート１０３はスタイルプロパティとして、それぞれ蓄積部１０８に展開される。ＤＯＭオブジェクト及びスタイルプロパティは、外部のモジュールからアクセスでき、変更・更新が可能な状態にある。
【００２２】
番号情報付加部１０９は、ＤＯＭオブジェクトである構造化データ１０２及びスタイルプロパティであるスタイルシート１０３にアクセスし、以下の処理を行なう。
（１）ＤＯＭオブジェクトからテキストデータ１０５のみを抽出する。
（２）各々のテキストデータを区別するために、テキストデータ１０５に付随するタグにＩＤ属性（値）を付加する。
（３）抽出したテキストデータ毎（ＩＤ値毎）に異なる番号を割り当てる。
（４）権造化データ１０２及びスタイルシート１０３を書き換える。
（５）フォーカス用のスタイルシートと決定キーが押されたときのスタイルシートを、スタイルプロパティに付加する。
【００２３】
以下に、上記各処理項目の説明を行なう。番号情報付加部１０９は、まずＤＯＭオブジェクトから画面上に表示されるテキストデータ１０５のみをタグ毎に抽出する。その後、テキストデータ１０５のタグ内にＩＤ属性（値）が付随しているかを調べる。ＩＤ属性が付随していない場合は、他のテキストデータ１０５と重複しないＩＤ属性を付加する。
【００２４】
このＩＤ属性は、後述するブラウザ独自のスタイルシートをスタイルシート１０３であるスタイルプロパティに付加する工程で使用する。その後、描出したテキストデータ毎（ＩＤ値毎）に異なる番号を割り当てる。この番号は、ユーザがリモコン１００を介してテキストデータ１０５を選択する際に使用する。そして、割り当てた番号をテキストデータと共にユーザに提示するために、構造化データ１０２であるＤＯＭオブジェクトとスタイルシート１０３であるスタイルプロパティを書き換える。
【００２５】
書き換える方法は多数あるが、書き換え後に、ユーザのリモコン操作によって番号の表示の可視または不可視を制御できる記述（文字情報選択モードのオン・オフができる記述）になっている必要がある。また、ＤＯＭオブジェクトとスタイルプロパティのどちらか一つのみを書き換える方法も考えられる。
【００２６】
以下の説明では、番号に関する情報は全てスタイルブロパティが持つものとして説明する。番号情報付加部１０９は最後に、抽出したテキストデータ毎にフォーカス用のスタイルシートと決定キーが押されたときのスタイルシートをスタイルプロパティに付加する。これはユーザが選択キーや決定キーを押すたびに、テキストデータ１０５上のスタイルをユーザに見える形で変化させるために必要となる。
【００２７】
番号情報付加部１０９は、上記の処理工程を構造化データ１０２中のテキストデータ分繰り返す。その後、取り出し部１１０によって取り出されたＤＯＭオブジェクト及び及びスタイルプロパティは、組版処理された後、各モノメディアと共にレンダラ部１１１に渡される。そして、ユーザに提示された時点で、ブラウザ１０１はイベント待ち状態となる。
【００２８】
次に、図６−Ａ〜図６−Ｃのフローチャートを参照しながらリモコンキーが押された際の、イベント待ち状態にあるブラウザの動作手順を説明する。
ブラウザ１０１は、あらかじめリモコン１００からの信号を受け取る手段と、押されたリモコンキー種を認識する手段を持つ。そのため、イベント待ち状態時にリモコンキーが押されるとキー種に応データイベント割り込みが生じる。図６−Ａは文字情報選択モードキーが押された際のブラウザの動作手順である。以下に各工程の説明を記した。
【００２９】
先ず、最初のステップＳ６Ａ−１において、文字情報選択モードキーが押されると選択モードイベント割り込みが発生する。
次に、ステップＳ６Ａ−２において、ブラウザは文字情報選択モードに入る。文字情報選択モード時にユーザが番号キーを押すことでテキストの選択が可能となる。文字情報選択モード開始時に最初にフォーカスがあたるテキストはあらかじめ決められている（例えば、ＩＤ値がＡから始まるテキストや見出しに使われているテキストなどにまずフォーカスが設定される）。
【００３０】
次に、ステップＳ６Ａ−３において、取り出し部１１０は、ブラウザ上のテキストデータに番号を表示させるための番号表示用スタイルシートをスタイルプロパティから取得する。
次に、ステップＳ６Ａ−４において、取り出し部１１０は、開始時にフォーカスが当たるテキストに対応したブラウザ独自のフォーカス用スタイルシートをスタイルプロパティから取得する。
【００３１】
次に、ステップＳ６Ａ−５において、ステップＳ６Ａ−３及びステップＳ６Ａ−４で取得したスタイルシートを組版処理後、レンダラ部１１１へ渡してビットマップイメージを展開してユーザに提示する。タグ情報を持つ全てのテキストデータに番号が付加・表示され、フォーカスが当たるテキストデータにはフォーカス用のスタイルが適用される。その後、ステップＳ６Ａ―６に進み、再びイベント待ち状態となる。
【００３２】
図６−Ｂは、文字情報選択モード時に選択キーが押された際のブラウザの動作手順を説明するフローチャートである。
最初のステップＳ６Ｂ−１において、番号キーが押されると選択イベント割り込みが発生する。
次に、ステップＳ６Ｂ−２において、取り出し部１１０は蓄積部１０８内にあるスタイルプロパティにアクセスし、押された番号キーの番号に対応するテキストを特定する。対応するテキストがない場合は、ステップＳ６Ｂ−６に進んで再びイベント待ち状態となる。
【００３３】
ステップＳ６Ｂ−２において、押された番号キーの番号に対応するテキストを特定したら、次にステップＳ６Ｂ−３に進み、番号キーの番号に対応するテキストヘフォーカスの移動を行なう。
【００３４】
次に、ステップＳ６Ｂ−４に進む。この時点では、まだユーザに見える形でのフォーカス移動の提示はなされていない。取り出し部１１０は再び蓄積部１０８内のスタイルプロパティにアクセスし、フォーカスが外れたテキストの通常時のスタイルシートと、フォーカスが当たったテキストのブラウザ独自のフォーカス用スタイルシートを取得する。
【００３５】
次に、ステップＳ６Ｂ−５に進み、ステップＳ６Ｂ−４で取得したスタイルシートを組版処理し、レンダラ部１１１へ渡してビットマップイメージを展開してユーザに提示する。フォーカスが外れたテキストには通常時のスタイルが適用され、フォーカスが当たったテキストにはフォーカス用のスタイルが適用される。その後、ステップＳ６Ｂ―６において再びイベント待ち状態となる。
【００３６】
図６−Ｃは、文字情報選択モード時に決定キーが押された際のブラウザの動作手順を説明するフローチャートである。以下に各工程の説明を行なう。
先ず、最初のステップＳ６Ｃ−１において、決定キーが押されると決定イベント割り込みが発生する。
【００３７】
次に、ステップＳ６Ｃ−２に進み、取り出し部１１０は蓄積部１０８内のスタイルプロパティにアクセスし、フォーカスが当たっているテキストに対応したブラウザ独自の決定用スタイル情報を取得する。
【００３８】
次に、ステップＳ６Ｃ−３に進み、ステップＳ６Ｃ−２で取得したスタイル情報をレンダラ部１１１へ渡してユーザに提示する。これにより、フォーカスが当たっているテキストには決定用のスタイルが適用される。
【００３９】
次に、ステップＳ６Ｃ−４に進み、取り出し部１１０は蓄積部１０８内のＤＯＭオブジェクトにアクセスし、フォーカスが当たっているテキストの文字情報を取得する。
次に、ステップＳ６Ｃ―５に進み、ある処理手段（ここでは文字拡大処理手段）へ文字情報を渡す。
【００４０】
次に、ステップＳ６Ｃ−６に進み、ある処理手段は文字情報を基に処理（ここでは文字拡大処理）を行ない、結果をレンダラ部１１１へ渡してユーザに提示する（押された番号キーの番号に対応するテキストの文字情報がポップアップ画面に拡大された形で提示される）。その後、ステップＳ６Ｃ―７に進み、再びリモコンイベント待ち状態となる。
【００４１】
次に、ステップＳ６Ｃ―８に進む。ここまでは、ユーザがキーを押すことによって生データイベントに対する処理である。次に、決定ボタンが離されると、再びイベント割り込みが発生する。
【００４２】
次に、ステップＳ６Ｃ―９に進み、取り出し部１１０は蓄積部１０８内のスタイルプロパティにアクセスし、決定用のスタイルシートが適用されているテキストのフォーカス用スタイル情報を取得する。
【００４３】
次に、ステップＳ６Ｃ−１０に進み、上記ステップＳ６Ｃ―９で取得したスタイル情報をレンダラ部１１１に渡してユーザに提示する。テキストにはフォーカス用のスタイルが適用される。その後、ステップＳ６Ｃ−１１に進み、再びイベント待ち状態となる。
【００４４】
以上に番号属性情報付加部１０９が付加した各情報を使用し、リモコン１００のイベントに応じて動作するブラウザの文字選択機能を示した。
一方、ユーザにとっては文字選択モード時に番号キーを押すだけで、上記決定キーが押された場合の処理（図４参照）も同時に行ってほしい場合がある。
【００４５】
図７は、文字情報選択モード時に選択キーが押された際のブラウザの動作手順を説明するフローチャートである。
最初のステップＳ７−１において、番号キーが押されると選択イベント割り込みが発生する。
【００４６】
次に、ステップＳ７−２に進み、取り出し部１１０は、蓄積部１０８内にあるスタイルプロパティにアクセスして番号情報を取得し、押された番号キーの番号に対応するテキストを特定する。対応するテキストがない場合は、再びイベント待ち状態となる。
【００４７】
以下の動作手順において、ステップＳ７−３〜ステップＳ７−４までの工程と、ステップＳ７−５〜ステップＳ７−６までの工程の処理順序は前後してもよい。
ステップＳ７−３においては、番号キーの番号に対応するテキストヘフォーカスの移動を行なう。
次に、ステップＳ７−４に進む。この時点では、まだユーザに見える形でのフォーカス移動の提示はなされていない。取り出し部１１０は、蓄積部１０８内のスタイルプロパティに再びアクセスし、フォーカスが外れたテキストの通常時のスタイルシートと、フォーカスが当たったテキストのブラウザ独自のフォーカス用スタイルシートを取得する。
【００４８】
ステップＳ７−５においては、取り出し部１１０は蓄積部１０８内のＤＯＭオブジェクトにアクセスし、押された番号キーの番号に対応するテキストの文字情報を取得する。
次に、ステップＳ７―６において、ある処理手段（ここでは文字拡大処理手段）へ文字情報を渡す。
【００４９】
次に、ステップＳ７ー７に進み、取り出し部１１０はステップＳ７ー４で取得したスタイルシートを組版処理してレンダラ部１１１へ渡し、ユーザに提示する。フォーカスが外れたテキストには通常時のスタイルが適用され、フォーカスが当たったテキストにはフォーカス用のスタイルが適用される。
【００５０】
次に、ステップＳ７ー６のある処理手段は文字情報を基に処理（文字拡大処理）を行ない、結果をレンダラ部１１１へ渡しユーザに提示する（押された番号キーの番号に対応するテキストの文字情報がポップアップ画面に拡大された形で提示される）。その後、ステップＳ７−８に進み、再びイベント待ち状態となる。
【００５１】
以上、ステップＳ７ー１〜ステップＳ７−８の工程より、決定キーを使わず、番号キーを押すだけで直接、ある処理手段（文字拡大処理手段）に渡すブラウザの文字選択機能を示した。
【００５２】
（第２の実施の形態）
本実施の形態は、第１の実施の形態と同様にユーザが図１に示されるリモコン１００を用いて、同じく図１に示されるブラウザ１０１を操作する状況を想定しており、本発明によって実現できるリモコン操作によるブラウザ中のテキスト情報の選択機能も第２の実施の形態と同様になる。
【００５３】
第２の実施の形態では、放送データ１０６中の構造化データ１０２及びスタイルシート１０３を受け取ったデコード部１０７が、デコード後、蓄積部１０８にそれぞれＤＯＭオブジェクト及びスタイルプロパティとして展開していた。
【００５４】
その後、番号情報付加部１０９は、蓄積部１０８にアクセスすることで、情報の取り出しや作成・付加を行なった。本実施の形態では上記工程の代わりに、デコード部が構造化データ１０２及びスタイルシート１０３を受け取ると、それらの文書構造をイベントという形で、直接番号情報付加部に渡す工程を付加した。この場合、番号情報付加部がＤＯＭオブジェクト及びスタイルプロパティの作成を行なう。
【００５５】
図８に、ブラウザ１０１内の機能モジュール図を記した。矢印は各機能モジュール間の処理の流れを示している。放送データ１０６中の構造化データ１０２及びスタイルシート１０３を受け取ったデコード部１１５は、デコード後、文書構造に応データイベントを番号情報付加部１１６に渡す。
【００５６】
このイベントは、第１の実施の形態のリモコン１００からのイベントとは異なり、デコード部が構造化データ１０２及びスタイルシート１０３の文書構造に応じて発行するものである。イベントの種類は様々であるが、番号情報付加部１１６が全てのイベントを受け取った時点で、ＤＯＭオブジェクトとスタイルプロパティを作成可能な状態になっていることが必要である。また、イベントの中には各々のテキストデータ１０５の存在を示すイベントも含まれる。
【００５７】
このイベントには関連する情報（ＩＤ属性情報と実際の文字列）が引数として付随する。番号情報付加部１１６はテキストデータ１０５の存在を示すイベントを受け取ると以下の処理を行なう。
【００５８】
（イ）引数として受け取った情報からＩＤ属性の有無を調べる。ＩＤ属性がない場合、各々のテキストデータ１０５を区別するために、ＩＤ属性を付加する。
（ロ）リモコン選択で用いるための番号を割り当てる。
（ハ）割り当てた番号をテキストデータ１０５と共に表示させるためのスタイルシート（或いは構造化データ）をスタイルプロパティ（或いはＤＯＭオブジェクト）として作成する。
（ニ）フォーカスが当たった際のスタイルシート及び決定キーが押された際のスタイルシートをスタイルプロパティとして作成する。
【００５９】
番号情報付加部１１６は、テキストデータ１０５の存在を示すイベントを受け取る毎に上記の処理工程を繰り返す。その後、デコード部から全てのイベントを受け取った時点で、ＤＯＭオブジェクト及びスタイルプロパティの作成を完了させ、蓄積部１０８に展開させる。ヒの時点でＤＯＭオブジエクト及びスタイルプロパティには既に、放送データ１０６中のテキストデータ１０５をリモコン１００で選択可能するための情報を付加してある。
【００６０】
その後、取り出し部１１０によって取り出されたＤＯＭオブジェクト及び及びスタイルプロパティは、組版処理された後、各モノメディアと共にレンダラ部１１１に渡される。そして、ユーザに提示された時点で、ブラウザ１０１はイベント待ち状態となる。リモコンキーが押された際の、イベント待ち状態にあるブラウザの動作手順は第２の実施の形態と同様となる。
【００６１】
（第３の実施の形態）
データ放送中の文字情報は、テキストデータ１０５のみでなく画像データ１０４中に含まれている場合がある。第１の実施の形態にて、画像データ１０４のタグ情報内にその文字情報が属性情報として記述されている場合、テキストデータ１０５に対して行なった処理工程を、画像データ１０４中の文字情報に対しても同様に行なうことができる。
【００６２】
画像データ１０４へのフォーカス移動及び及び拡大表示のイメージは、図９のようになる。この場合の番号情報付加部１０９は、ＤＯＭオブジェクトである構造化データ１０２及びスタイルプロパティであるスタイルシート１０３にアクセスし、以下の処理を行なう。
【００６３】
（１）ＤＯＭオブジェクトからテキストデータ１０５と画像データ１０４を抽出する。
（２）画像データ１０４の場合、画像中の文字情報の有無を、タグ情報中に文字情報が属性情報として記述されているか否かで判別する。記述されている場合、テキストデータ１０５と同様に扱う。
（３）各々のテキストデータ１０５及び画像データ１０４を区別するために、付随するタグにＩＤ属性（値）を付加する。もともとＩＤ属性が付随している場合はそれを使う。
（４）各テキストデータ１０５及び画像データ１０４に、異なる番号を割り当てる。
（５）各テキストデータ１０５及び画像データ１０４上に割り当てた番号を表示させるために、構造化データ１０２及びスタイルシート１０３を書き換える。
（６）各テキストデータ１０５及び画像データ１０４毎に、フォーカス用のスタイルシートと決定キーが押されたときのスタイルシートをスタイルプロパティに付加する。
【００６４】
番号情報付加部１０９は、上記の処理工程を繰り返すことによって、放送データ１０６のＤＯＭオブジェクト及びスタイルプロパティ内に、放送データ１０６中のテキストデータ１０５と画像データ１０４をリモコン１００で選択可能するための情報を付加する。
【００６５】
ブラウザがイベント待ちになった後、ユーザのリモコン操作によって生じる処理工程も、テキストデータ１０５と画像データ１０４は第２の実施の形態で示したテキストデータ１０５と同様の工程で処理される。ユーザがある画像にフォーカスを当てて決定キーを押した場合は、その画像データ１０４に付随するタグ中の属性情報として存在する文字情報が取り出され、何らかの処理手段（ここでは文字拡大手段）に渡されることになる。
【００６６】
（第４の実施の形態）
画像データ１０４のタグ情報内にその文字情報が属性として記述されている場合、第２の実施の形態にてテキストデータ１０５に対して行なった処理工程を、画像データ１０４中の文字情報に対しても同様に行なうことができる。画像データ１０４へのフォーカス移動及び及び拡大表示のイメージは第３の実施の形態と同様に図９のようになる。
【００６７】
この場合、デコード部は文書構造に応データイベントをフォーカス属性情報付加部１１６に渡すが、そのなかに画像データの存在を示すイベントも含まれる。このイベントには関連する情報（画像データ１０４の種類やＵＲＩの他、ＩＤ属性情報や画像中にある文字列などの情報）が引数として付随する。番号情報付加部１１６は、画像データ１０４の存在を示すイベントを受け取ると以下の処理を行なう。
【００６８】
（１）引数として受け取った情報から画像中の文字情報の有無を、タグ情報中に文字情報が属性情報として記述されているか否かで判別する。記述されている場合、テキストデータ１０５と同様に扱う。以下は、文字情報つき画像データ１０４に対しての処理である。
（２）引数として受け取った情報からＩＤ属性の有無を調べる。ＩＤ属性がない場合、各々の画像データ１０４を区別するために、ＩＤ属性を付加する。
（３）リモコン選択で用いるための番号を割り当てる。
（４）割り当てた番号を画像データ１０４と共に表示させるためのスタイルシート（或いは構造化データ）をスタルプロパティ（或いはＤＯＭオブジェクト）として作成する。
（５）フォーカスが当たった際のスタイルシート及び決定キーが押された際のスタイルシートをスタイルプロパティとして作成する。
【００６９】
番号情報付加部１１６は、画像データ１０４の存在を示すイベントを受け取る毎に上記の処理工程を繰り返す。その後、デコード部から全てのイベントを受け取った時点で、ＤＯＭオブジェクト及びスタイルプロパティの作成を完了させ、蓄積部１０８に展開させる。この時点で、ＤＯＭオブジェクト及びスタイルプロパティには既に、放送データ１０６中の画像データ１０４をリモコン１００で選択可能するための情報を付加してある。
【００７０】
その後、取り出し部１１０によって取り出されたＤＯＭオブジェクト及び及びスタイルプロパティは、組版処理された後、各モノメディアと共にレンダラ部１１１に渡される。そしてユーザに提示された時点で、ブラウザ１０１はイベント待ち状態となる。
【００７１】
ブラウザがイベント待ちになった後、ユーザのリモコン操作によって生じる処理工程も、画像データ１０４は第２の実施の形態で示したテキストデータ１０５と同様の工程で処理される。ユーザがある画像にフォーカスを当てて決定キーを押した場合は、その画像データ１０４に付随するタグ中の属性情報として存在する文字情報が取り出され、何らかの処理手段（ここでは文字拡大手段）に渡されることになる。
【００７２】
（第５の実施の形態）
次に、図１０〜図１３を参照しながら本発明の第５の実施の形態を説明する。
上述した第１の実施の形態で示したように、図１０の場合も、文字情報選択モードの状態でリモコン１００の決定キーを押すと、フォーカスがあたっている部分のテキスト情報がポップアップ画面に拡大（縮小）された形でユーザに提示される。図１０にテキスト情報の拡大表示例を示した。
【００７３】
この場合、フォーカスがあたっているテキスト自体を直接拡大するのではなく、ポップアップ型のウィンドウがブラウザとは別に現れ、そこでフォーカス部分が拡大表示される。ブラウザ自体の見栄えを変化させることはない。また同時にテキスト情報を拡大表示だけでなく、音声情報に変換してユーザに提示することも考えられる。
【００７４】
上記文字情報選択機能の実現方法を以下で述べる。
図１１に、ブラウザ１０１内の機能モジュール図を示す。図１１中の矢印は、各機能モジュール間の処理の流れを示している。図１１において、１０７は受信した放送データ１０６のデコードを行なうデコード部である。デコードされた放送データは蓄積部１０８内に展開される。
【００７５】
このうち、構造化データ１０２はタグ情報等を基にＤＯＭ（Document Object Model）オブジェクトとして、またスタイルシート１０３はスタイルプロパティとして、それぞれ蓄積部１０８に展開される。ＤＯＭオブジェクト及びスタイルプロパティは、外部のモジュール等からアクセスでき、変更・更新が可能な状態にある。
【００７６】
フォーカス属性情報付加部１０９２は、ＤＯＭオブジェクトである構造化データ１０２及びスタイルプロパティであるスタイルシート１０３にアクセスし、以下の処理を行なう。
（１）ＤＯＭオブジェクトからテキストデータ１０５のみを抽出する。
（２）各々のテキストデータを区別するために、テキストデータに付随するタグにＩＤ属性（値）を付加する。もともとＩＤ属性が付随している場合はそれを使う。
（３）各テキストデータのスタイルプロパティ内に、フォーカス移動のための属性情報（ナビゲーション情報１１３）を作成・付加する。
（４）同じくスタイルプロパティ内にフォーカスが当たった際のスタイルシート１１４を作成する。
【００７７】
次に、上記各処理項目の説明を行なう。フォーカス属性情報付加部１０９２は、先ず、ＤＯＭオブジェクトから画面上に表示されるテキストデータ１０５のみをタグ毎に抽出する。その後、テキストデータ１０５のタグ内にＩＤ属性（値）が付随しているかを調べる。ＩＤ属性が付随していない場合は、他のテキストデータと重複しないＩＤ属性を付加する。このＩＤ属性は、後述するブラウザ独自のスタイルシートをスタイルシート１０３であるスタイルプロパティに付加する工程で使用する。その後、抽出したテキストデータ毎（ＩＤ値毎）にフォーカス移動のための属性情報（ナビゲーション情報１１３）を作成・付加する。
【００７８】
ナビゲーション情報１１３には、ユーザがリモコン選択キーを押した際のフォーカスの移動先が記述されている。フォーカス属性情報付加部１０９は最後に、抽出したテキストデータ毎にフォーカス用のスタイルシート１０３と決定キーが押されたときのスタイルシートをスタイルプロパティに付加する。これはユーザが選択キーや決定キーを押すたびに、テキストデータ１０５上のスタイルをユーザに見える形で変化させるために必要となる。
【００７９】
フォーカス属性情報付加部１０９２は上記の処理工程を繰り返すことによって、放送データのＤＯＭオブジェクト及びスタイルプロパティ内に、放送データ中のテキストデータ１０５をリモコンで選択可能するための情報を付加する。その後、取り出し部１１０によって取り出されたＤＯＭオブジェクト及びスタイルプロパティは、組版処理された後、各モノメディアと共にレンダラ部１１１に渡される。そして、ユーザに提示された時点で、ブラウザ１Ｏ１はイベント待ち状態となる。
【００８０】
次に、図１２Ａ〜図１２Ｃを参照しながら、リモコンキーが押された際の、イベント待ち状態にあるブラウザの動作手順を説明する。ブラウザ１０１はあらかじめリモコンからの信号を受け取る手段と、押されたリモコンキー種を認識する手段を持つ。そのため、イベント待ち状態時にリモコンキーが押されるとキー種に応じたイベント割り込みが生じる。
【００８１】
図１２は、文字情報選択モードキーが押された際のブラウザの動作手順である。以下に、フローチャートを参照しながら各工程の内容を説明する。
先ず、最初に、ステップＳ１２Ａ−１において、文字情報選択モードキーが押されると選択モードイベント割り込みが発生すると、次のステップＳ１２Ａ―２ブラウザは文字情報選択モードに入る。
【００８２】
文字情報選択モード時にユーザが選択キーを押すことでテキストの選択が可能となる。文字情報選択毛一ド開始時に最初にフォーカスがあたるテキストはあらかじめ決められている（例えば、ＩＤ値がＡから始まるテキストや見出しに使われているテキストなどにまずフォーカスが設定される）。
【００８３】
ステップＳ１２Ａ−３においては、取り出し部１１０は、開始時にフォーカスが当たるテキストに対応したブラウザ独自のフォーカス用スタイル情報をスタイルプロパティから取得する。
【００８４】
次に、ステップＳ１２Ａ−４においては、取得したスタイル情報をレンダラ部１１１へ渡してユーザに提示する。フォーカスが当たるテキストには、フォーカス用のスタイルが適用される。次に、ステップＳ１２Ａ―５において、再びイベント待ち状態となる。
【００８５】
図１２―Ｂは、文字情報選択モード時に選択キーが押された際のブラウザの動作手順を説明するフローチャートである。以下に、各工程を説明する。
最初のステップＳ１２Ｂ−１において、選択キーが押されると選択イベント割り込みが発生する。
【００８６】
次に、ステップＳ１２Ｂ−２において選択キーが押されると取り出し部１１０は蓄積部１０８内にあるスタイルプロパティにアクセスし、フォーカスが当たっているテキストのリモコンナビゲーション属性を取得する。
【００８７】
次に、ステップＳ１２Ｂ−３において、リモコンナビゲーション属性情報には選択キーに対応した適切なフォーカス移動方向が記述されているため、その情報に従いフォーカスの移動を行なう。
【００８８】
次に、ステップＳ１２Ｂ−４に進む。この時点では、まだユーザに見える形でのフォーカス移動の提示はなされていない。取り出し部１１０は再び蓄積部１０８内のスタイルプロパティにアクセスし、フォーカスが外れたテキストの通常時のスタイル情報と、フォーカスが当たったテキストのブラウザ独自のフォーカス用スタイル情報を取得する。
【００８９】
次に、ステップＳ１２Ｂ−５において、取得したスタイル情報をレンダラ部１１１へ渡してビットマップイメージを展開してユーザに提示する。フォーカスが外れたテキストには通常時のスタイルが適用され、フォーカスが当たったテキストにはフォーカス用のスタイルが適用される。
次に、ステップＳ１２Ｂ―６に進み、再びイベント待ち状態となる。
【００９０】
図１２―Ｃは、文字情報選択モード時に決定キーが押された際のブラウザの動作手順を説明するフローチャートである。以下に、各工程の動作を説明する。
先ず、最初のステップＳ１２Ｃ−１において決定キーが押されると決定イベント割り込みが発生する。
【００９１】
次に、ステップＳ１２Ｃ−２において、取り出し部１１０は蓄積部１０８内のスタイルプロパティにアクセスし、フォーカスが当たっているテキストに対応したブラウザ独自の決定用スタイル情報を取得する。
【００９２】
次に、ステップＳ１２Ｃ−３において、取得したスタイル情報をレンダラ部１１１へ渡してビットマップイメージを展開してユーザに提示する。フォーカスが当たっているテキストには決定用のスタイルが適用される。
【００９３】
次に、ステップＳ１２Ｃ−４において、取り出し部１１０は蓄積部１０８内のＤＯＭオブジェクトにアクセスし、フォーカスが当たっているテキストの文字情報を取得する。
次に、ステップＳ１２Ｃ−５に進み、ある処理手段（ここでは文字拡大処理手段）へ文字情報を渡す。
【００９４】
次に、ステップＳ１２Ｃ−６において、ある処理手段は文字情報を基に処理を行ない、結果をレンダラ部１１１へ渡してビットマップイメージを展開してユーザに提示する。
次に、ステップＳ１２Ｃ―７に進み、再びイベント待ち状態となる。
【００９５】
次に、ステップＳ１２Ｃ−８に進むが、ここまではユーザがキーを押すことによって生じたイベントに対する処理である。
次に、決定ボタンが離されると、再びイベント割り込みが発生する。
次に、ステップＳ１２Ｃ−９において、取り出し部１１０は蓄積部１０８内のスタイルプロパティにアクセスし、決定用のスタイルシートが適用されているテキストのフォーカス用スタイル情報を取得する。
【００９６】
次に、ステップＳ１２−１０において、取得したスタイル情報をレンダラ部１１１に渡しユーザに提示する。テキストにはフォーカス用のスタイルが適用される。
次に、ステップＳ１２Ｃ―１１に進み、再びイベント待ち状態となる。
【００９７】
以上に、フォーカス属性情報付加部１０９２が付加した各情報を使用し、リモコンのイベントに応じて動作するブラウザの文字選択機能を示した。なお、この文字選択機能は基本的な機能であり、リモコンの形態を変化させたり、リモコンキーの修理を増やしたりすれば拡張機能の提供が可能になる。例えば、リモコンキーに文字情報の領域選択・複数選択を行なうキー種があり、フォーカス属性情報付加部１０９２に領域選択・複数選択用のスタイル情報を付加する機能があれば、ユーザは一度にいくつかの文字情報を選択する機能を利用することも可能となる。
【００９８】
（第６の実施の形態）
本実施の形態は、上述した第１の実施の形態と同様に、ユーザが図１０に示されるリモコン１００を用いて、同じく図１０に示されるブラウザ画面１０１を操作する状況を想定しており、本実施の形態によって実現できるリモコン操作によるブラウザ中のテキスト情報の選択機能は第５の実施の形態と同様になる。
【００９９】
第５の実施の形態では、放送データ１０６中の構造化データ１０２及びスタイルシート１０３を受け取ったデコード部１０７が、デコード後、蓄積部１０８にそれぞれＤＯＭオブジェクト及びスタイルプロパティとして展開していた。その後、フォーカス属性情報付加部１０９は蓄積部１０８にアクセスすることで、情報の取り出しや作成・付加を行なった。本実施の形態ではこの工程の代わりに、デコード部が構造化データ１０２及びスタイルシート１０３を受け取ると、それらの文書構造をイベントという形で、直接フォーカス属性情報付加部１０９２に渡す工程を付加した。この場合、フォーカス属性情報付加部１０９２がＤＯＭオブジェクト及びスタイルプロパティの作成を行なう。
【０１００】
図１３に、ブラウザ１０１内の機能モジュール構成を記した。図１３中の矢印は、各機能モジュール間の処理の流れを示している。放送データ１０６中の構造化データ１０２及びスタイルシート１０３を受け取ったデコード部１１５は、デコード後、文書構造に応じたイベントをフォーカス属性情報付加部１１６に渡す。
【０１０１】
このイベントは第５の実施の形態のリモコンからのイベントとは異なり、デコード部が構造化データ１０２及びスタイルシート１０３の文書構造に応じて発行するものである。イベントの種類は様々であるが、フォーカス属性情報付加部１１６が全てのイベントを受け取った時点で、ＤＯＭオブジェクトとスタイルプロパティを作成可能な状態になっていることが必要である。
【０１０２】
また、イベントの中には各々のテキストデータの存在を示すイベントも含まれる。このイベントには関連する情報（ＩＤ属性情報と実際の文字列）が引数として付随する。フォーカス属性情報付加部１１６はテキストデータの存在を示すイベントを受け取ると以下の処理を行なう。
【０１０３】
（１）引数として受け取った情報からＩＤ属性の有無を調べる。ＩＤ属性がない場合、各々のテキストデータを区別するために、ＩＤ属性を付加する。
（２）フォーカス移動のための属性情報（ナビゲーション情報１１３）をスタイルシートとして作成する。
（３）フォーカスが当たった際のスタイルシート１１４を作成する。フォーカス属性情報付加部１１６は、テキストデータの存在を示すイベントを受け取る毎に上記の処理工程を操り返す。
【０１０４】
その後、デコード部１１５から全てのイベントを受け取った時点で、ＤＯＭオブジェクト及びスタイルプロパティの作成を完了させ、蓄積部１０８に展開させる。この時点でＤＯＭオブジェクト及びスタイルプロパティには既に、放送データ中のテキストデータをリモコンで選択可能するための情報を付加してある。
【０１０５】
その後、取り出し部１１０によって取り出されたＤＯＭオブジェクト及びスタイルプロパティは、組版処理された後、各モノメディアと共にレンダラ部１１１に凌される。そしてユーザに提示された時点で、ブラウザ１０１はイベント待ち状態となる。リモコンキーが押された際の、イベント待ち状態にあるブラウザの動作手順は第５の実施の形態と同様である。
【０１０６】
また、上記文字選択機能は基本的な機能であり、リモコンの形態を変化させたり、リモコンキーの種類を増やしたりすれば、第５の実施の形態と同様の拡張機能の提供も可能になる。
【０１０７】
（第７の実施の形態）
データ放送中の文字情報は、テキストデータ１０５のみでなく画像データ１０４中に含まれている場合がある。第５の実施の形態にて、画像データ１０４のタグ情報内にその文字情報が属性情報として記述されている場合、テキストデータ１０５に対して行なった処理工程を、画像データ１０４中の文字情報に対しても同様に行なうことができる。画像データ１０４へのフォーカス移動及び拡大表示のイメージは図１４のようになる。
【０１０８】
この場合のフォーカス属性情報付加部１０９２は、ＤＯＭオブジェクトである構造化データ１０２及びスタイルプロパティであるスタイルシート１０３にアクセスし、以下の処理を行なう。
【０１０９】
（１）ＤＯＭオブジェクトからテキストデータ１０５と画像データ１０４を抽出する。
（２）画像データ１０４の場合、画像中の文字情報の有無を、タグ情報中に文字情報が属性情報として記述されているか否かで判別する。記述されている場合、テキストデータ１０５と同様に扱う。
（３）各々のテキストデータ１０５及び画像データ１０４を区別するために、付随するタグにＩＤ属性（値）を付加する。もともとＩＤ属性が付随している場合はそれを使う。
（４）各テキストデータ１０５及び画像データ１０４のスタイルプロパティ内に、フォーカス移動のための属性情報（ナビゲーション情報１１３）を作成・付加する。
（５）同じくスタイルプロパティ内にフォーカスが当たった際のスタイルシート１１４を作成する。
【０１１０】
フォーカス属性情報付加部１０９２は、上記の処理工程を操り返すことによって、放送データのＤＯＭオブジェクト及びスタイルプロパティ内に、放送データ中のテキストデータ１０５と画像データ１０４をリモコンで選択可能するための情報を付加する。
【０１１１】
ブラウザがイベント待ちになった後、ユーザのリモコン操作にキーって生じる処理工程も、テキストデータ１０５と画像データ１０４は第５の実施の形態で示したテキストデータ１０５と一同様の工程で処理される。ユーザがある画像にフォーカスを当てて決定キーを押した場合は、その画像デー一夕１０４に付随するタグ中の属性情報として存在する文字情報が取り出され、何らかの処理手段（ここでは文字拡大手段）に渡される。
【０１１２】
（第８の実施の形態）
画像データ１０４のタグ情報内にその文字情報が属性として記述されている場合、第６の実施の形態にてテキストデータ１０５に対して行なった処理工程を、画像データ１０４中の文字情報に対しても同様に行なうことができる。
【０１１３】
画像データ１０４へのフォーカス移動及び拡大表示のイメージは第７の実施の形態と同様に図１４のようになる。この場合、デコード部は文書構造に応じたイベントをフォーカス属性情報付加部１１６に渡すが、そのなかに画像データ１０４の存在を示すイベントも含まれる。
【０１１４】
このイベントには、関連する情報（画像データ１０４の種類やＵＲＩ他、ＩＤ属性情報や画像中にある文字列などの情報）が引数として付随する。フォーカス属性情報付加部１１６は画像データ１０４の存在を示すイベントを受け取ると以下の処理を行なう。
【０１１５】
（１）引数として受け取った情報から画像中の文字情報の有無を、タグ情報中に文字情報が属性情報として記述されているか否かで判別する。記述されている場合、テキストデータと同様に扱う。以下は、文字情報つき画像データ１０４に対しての処理である。
（２）引数として受け取った情報からＩＤ性の有無を調べる。ＩＤ属性がない場合、各々の画像データ１０４を区別するために、ＩＤ属性を付加する。
（３）フォーカス移動のための属性情報（ナビゲーション情報１１３）をスタイルシートとして作成する。
（４）フォーカスが当たった際のスタイルシート１１４を作成する。
【０１１６】
フォーカス属性情報付加部１１６は、画像データ１０４の存在を示すイベントを受け取る毎に上記の処理工程を繰り返す。その後、デコード部から全てのイベントを受け取った時点で、ＤＯＭオブジェクト及びスタイルプロパティの作成を完了させ、蓄積部１０８に展開させる。
【０１１７】
この時点で、ＤＯＭオブジェクト及びスタイルプロパティには既に、放送データ中の画像データ１０４をリモコンで選択可能するための情報を付加してある。その後、取り出し部１１０によって取り出されたＤＯＭオブジェクト及びスタィルプロパティは、組版処理された後、各モノメディナと共にレンダラ部１１１に渡される。そして、ユーザに提示された時点で、ブラウザ１０１はイベント待ち状態となる。
【０１１８】
ブラウザがイベント待ちになった後、ユーザのリモコン操作によって生じる処理工程も、画像データ１０４は第６の実施の形態で示したテキストデータ１０５と同様の工程で処理される。ユーザがある画像にフォーカスを当てて決定キーを押した場合は、その画像データ１０４に付随するタグ中の属性情報として存在する文字情報が取り出され、何らかの処理手段（ここでは文字拡大手段）に渡されることになる。
【０１１９】
（本発明の他の実施形態）
上述した実施形態の機能を実現するべく各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【０１２０】
また、この場合、上記ソフトウェアのプログラムコード自体が上述した実施形態の機能を実現することになり、そのプログラムコード自体、及び及びそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１２１】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【０１２２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない、その処理によって上述した実施形態の機能が実現される場合にも本発明に含まれる。
【図面の簡単な説明】
【０１２３】
【図１】本実施の形態で想定しているリモコンとブラウザのイメージ図である。
【図２】ブラウザに表示されている内容を、ＸＭＬを用いて記述した構造化データの一例を示す図である。
【図３】リモコン操作によるブラウザ中のテキスト情報の選択機能に関する図であり、リモコンの番号キーを押すことでテキスト間をフーオーカスが移動している様子を示す図である。
【図４】リモコンの決定キーを押すことでフォーカスがあたっているテキスト部分がポップアップ画面に拡大（縮小）された形でユーザに提示される様子を示す図である。
【図５】ブラウザ内の機能モジュールの構成とモジュール間の処理の流れを示した図である。
【図６−Ａ】リモコンキーが押された際のイベント待ち状態にあるブラウザの動作を示し、選択モードイベント発生時の処理手順の一例を示すフローチャートである。
【図６−Ｂ】リモコンキーが押された際のイベント待ち状態にあるブラウザの動作を示し、選択イベント発生時の処理手順の一例を示すフローチャートである。
【図６−Ｃ】リモコンキーが押された際のイベント待ち状態にあるブラウザの動作を示し、決定イベント発生時の処理手順の一例を示すフローチャートである。
【図７】リモコンキーが押された際のイベント待ち状態にあるブラウザの動作手順の一例を示すフローチャートである。
【図８】第２の実施の形態におけるブラウザ内の機能モジュールの構成とモジュール間の処理の流れを示した図である。
【図９】第３の実施の形態における画像データへのフォーカス移動及び及び拡大表示のイメージを説明する図である。
【図１０】第５の実施の形態を示し、リモコンの決定キーを押すことでフォーカスがあたっているテキスト部分がポップアップ画面に拡大（縮小）された形でユーザに提示される様子を示す図である。
【図１１】第５の実施の形態におけるブラウザ内の機能モジュールの構成とモジュール間の処理の流れを示した図である。
【図１２−Ａ】第５の実施の形態において、リモコンキーが押された際のイベント待ち状態にあるブラウザの動作を示し、選択モードイベント発生時の処理手順の一例を示すフローチャートである。
【図１２−Ｂ】第５の実施の形態において、リモコンキーが押された際のイベント待ち状態にあるブラウザの動作を示し、選択イベント発生時の処理手順の一例を示すフローチャートである。
【図１２−Ｃ】第５の実施の形態において、リモコンキーが押された際のイベント待ち状態にあるブラウザの動作を示し、決定イベント発生時の処理手順の一例を示すフローチャートである。
【図１３】第６の実施の形態におけるブラウザ内の機能モジュールの構成とモジュール間の処理の流れを示した図である。
【図１４】第７の実施の形態を示し、画像データへのフォーカス移動及び拡大表示のイメージを示す図である。
【符号の説明】
【０１２４】
１００  リモコン
１０１  ブラウザ
１０２  構造化データ
１０３  スタイルシート
１０４  構造化データ
１０５  テキストデータ
１０６  放送化データ
１０７  デコード部
１０８  蓄積部
１０９  番号情報付加部
１１０  取り出し部
１１１  レンダラ部
【図１】
2005176097.tif 000003
【図２】
2005176097.tif 000004
【図３】
2005176097.tif 000005
【図４】
2005176097.tif 000006
【図５】
2005176097.tif 000007
【図６−Ａ】
2005176097.tif 000008
【図６−Ｂ】
2005176097.tif 000009
【図６−Ｃ】
2005176097.tif 000010
【図７】
2005176097.tif 000011
【図８】
2005176097.tif 000012
【図９】
2005176097.tif 000013
【図１０】
2005176097.tif 000014
【図１１】
2005176097.tif 000015
【図１２−Ａ】
2005176097.tif 000016
【図１２−Ｂ】
2005176097.tif 000017
【図１２−Ｃ】
2005176097.tif 000018
【図１３】
2005176097.tif 000019
【図１４】
2005176097.tif 000020